(57)【特許請求の範囲】
【請求項１】
軸長方向に延在すると共に、周方向に交互に隣接する複数の凸条と凹条とからなる凹凸条部を外周面に有するネジキャップと、該ネジキャップに冠着されるオーバーキャップであって、軸長方向に延在すると共に、周方向に交互に隣接する複数の凸条と凹条とからなり、該ネジキャップの該凹凸条部と嵌合する凹凸条部を内周面に有するオーバーキャップとを備えた容器のキャップにおいて、
該ネジキャップの該凸条の上端面に該ネジキャップの開蓋方向側に隣接する該凹条に向けて上方から下方に傾斜する傾斜面を設けたことを特徴とする容器のキャップ。
【請求項２】
該ネジキャップの該凸条が、該ネジキャップの開蓋方向側に隣接する該凹条に面する軸長方向の開蓋方向側側面と、該ネジキャップの閉蓋方向側に隣接する該凹条に面する軸長方向の閉蓋方向側側面とを有しており、該傾斜面の下縁部が該開蓋方向側側面と連続すると共に、該傾斜面の上縁部が該閉蓋方向側側面と連続していることを特徴とする請求項１に記載の容器のキャップ。
【請求項３】
該ネジキャップの該凹凸条部の上部が、径方向内側に向けて下方から上方に傾斜しており、該凸条の該傾斜面の下縁部が該凹条の凹部底面と連続していることを特徴とする請求項１又は２に記載の容器のキャップ。
【請求項４】
該ネジキャップの該凸条の該傾斜面が略平行四辺形の形状を成していることを特徴とする請求項３に記載の容器のキャップ。
【請求項５】
該オーバーキャップの該凹凸条部と該ネジキャップの該凹凸条部とが嵌合する際、該凹凸条部同士が互いの接触部分において圧接することを特徴とする請求項１乃至４の何れかに記載の容器のキャップ。
【請求項６】
該ネジキャップの該凸条の径方向外側に向かう外側面が、該ネジキャップの開蓋方向内側に向けて傾斜しており、該開蓋方向側側面の面積よりも該閉蓋方向側側面の面積の方が大きいことを特徴とする請求項２乃至５の何れかに記載の容器のキャップ。
【請求項７】
該ネジキャップの該凹条の凹部底面に周方向に延在する凸条が１以上設けられていると共に、該オーバーキャップの該凸条の径方向内側に向かう内側面に、該ネジキャップの周方向に延在する該凸条と嵌合する凹条が１以上設けられていることを特徴とする請求項１乃至６の何れかに記載の容器のキャップ。
【請求項８】
該ネジキャップが、その本体下部にブリッジを介して連結された封印バンドを有していることを特徴とする請求項１乃至７の何れかに記載の容器のキャップ。
【請求項９】
該オーバーキャップの該凹凸条部が、該オーバーキャップの天壁内面に立設されたインナーリングの内周面に設けられていることを特徴とする請求項１乃至８の何れかに記載の容器のキャップ。
【請求項１０】
容器口部に装着される中栓であって、先細のノズルを有する中栓を更に備え、該ネジキャップが該中栓のノズルに螺着されるものであることを特徴とする請求項１乃至９の何れかに記載の容器のキャップ。
【発明の詳細な説明】
【技術分野】
【０００１】
この発明は、各種容器の口部に装着されるキャップに関する。
【背景技術】
【０００２】
各種容器のキャップにおいて、容器口部に直接又は中栓を介して螺合されるネジキャップと、そのネジキャップに冠着されるオーバーキャップとを備えているものがある。
【０００３】
この種のキャップにおいて、ネジキャップの外周面には通常滑り止め用のローレットが形成されているが、そのネジキャップのローレットに嵌合するローレットがオーバーキャップの内周面に設けられているものがある（特許文献１参照）。
【０００４】
前記のオーバーキャップの内周面にもローレットが設けられているキャップの場合、オーバーキャップ側のローレットの凸条部分をネジキャップのローレットの凸条部分に引っ掛かけて、ネジキャップをそれよりも径の大きいオーバーキャップを介して開蓋方向に回して、開けることができるので、径の小さいネジキャップを直接回して開ける場合に比べて、その開蓋トルク（ネジキャップを回して開けるのに要するトルク）を小さくすることができ、ネジキャップを開け易いものとすることができる。
【０００５】
しかしながら、前記のようなキャップの場合、オーバーキャップをネジキャップに冠着させる際に、両者のローレットを嵌合させることになるが、オーバーキャップ側を固定して行う場合、両者のローレットの凹凸部分の周方向の位置関係によっては、凹凸部分が互いに噛み合わず、具体的には、オーバーキャップ側の凸部先端がネジキャップ側の凹部へ嵌入せず、打栓による冠着ができなくなるという問題があった。
【０００６】
又、上記の問題を回避できたとしても、両者のローレットの凹凸部分の周方向の位置をライン上で完全に一致させることは困難であり、オーバーキャップを冠着する過程で、ネジキャップが回転して位置が修正されるが、その際、ネジキャップに緩みを生じさせてしまう恐れがあった。特に、ネジキャップの開蓋方向への緩みによっては、ネジキャップの密封性を解除させてしまう可能性もあり、更に、キャップがその本体下部に封印バンドを有するものである場合は、その封印バンドのキャップ本体との連結部（所謂ブリッジ）を破断させてしまう可能性もある。
【０００７】
即ち、前記のようなキャップの場合、オーバーキャップやネジキャップのローレットの凸部分にネジキャップの開蓋トルクに負けない剛性を持たせるために、その凸部分の周方向の幅を大きくすることが考えられるが、ローレットの凸部分の周方向の幅は、オーバーキャップのネジキャップへの冠着の際に生じ得るネジキャップの開蓋方向への最大回転角度を決めるものであり、それを大きくすれば、オーバーキャップのネジキャップへの冠着の際に生じ得るネジキャップの開蓋方向への最大回転角度も大きくなり、その角度がネジキャップの密封性が解除される回転角度（所謂シールブレーク角度）や封印バンドのブリッジが破断される回転角度（所謂ブリッジブレーク角度）を超えてしまうものであれば、オーバーキャップのネジキャップへの冠着の際に、ネジキャップの密封性を解除させてしまったり、封印バンドのブリッジを破断させてしまったりする可能性がある。
【先行技術文献】
【特許文献】
【０００８】
【特許文献１】特開２００３−０４０２９７号公報
【発明の開示】
【発明が解決しようとする課題】
【０００９】
この発明は、前記の事情に鑑み、オーバーキャップをネジキャップに冠着させる際に、冠着に不良が生じ難く、且つ、ネジキャップに緩みが生じ難い容器のキャップを提供することを目的とする。
【課題を解決するための手段】
【００１０】
この発明は、軸長方向に延在すると共に、周方向に交互に隣接する複数の凸条と凹条とからなる凹凸条部を外周面に有するネジキャップと、該ネジキャップに冠着されるオーバーキャップであって、軸長方向に延在すると共に、周方向に交互に隣接する複数の凸条と凹条とからなり、該ネジキャップの該凹凸条部と嵌合する凹凸条部を内周面に有するオーバーキャップとを備えた容器のキャップにおいて、該ネジキャップの該凸条の上端面に該ネジキャップの開蓋方向側に隣接する該凹条に向けて上方から下方に傾斜する傾斜面を設けたことを特徴とする容器のキャップである。
【００１１】
又、この発明は、該ネジキャップの該凸条が、該ネジキャップの開蓋方向側に隣接する該凹条に面する軸長方向の開蓋方向側側面と、該ネジキャップの閉蓋方向側に隣接する該凹条に面する軸長方向の閉蓋方向側側面とを有しており、該傾斜面の下縁部が該開蓋方向側側面と連続すると共に、該傾斜面の上縁部が該閉蓋方向側側面と連続していることを特徴とする容器のキャップである。
【００１２】
又、この発明は、該ネジキャップの該凹凸条部の上部が、径方向内側に向けて下方から上方に傾斜しており、該凸条の該傾斜面の下縁部が該凹条の凹部底面と連続していることを特徴とする容器のキャップである。
【００１３】
又、この発明は、該ネジキャップの該凸条の該傾斜面が略平行四辺形の形状を成していることを特徴とする容器のキャップである。
【００１４】
又、この発明は、該オーバーキャップの該凹凸条部と該ネジキャップの該凹凸条部とが嵌合する際、該凹凸条部同士が互いの接触部分において圧接することを特徴とする容器のキャップである。
【００１５】
又、この発明は、該ネジキャップの該凸条の径方向外側に向かう外側面が、該ネジキャップの開蓋方向内側に向けて傾斜しており、該開蓋方向側側面の面積よりも該閉蓋方向側側面の面積の方が大きいことを特徴とする容器のキャップである。
【００１６】
又、この発明は、該ネジキャップの該凹条の凹部底面に周方向に延在する凸条が１以上設けられていると共に、該オーバーキャップの該凸条の径方向内側に向かう内側面に、該ネジキャップの周方向に延在する該凸条と嵌合する凹条が１以上設けられていることを特徴とする容器のキャップである。
【００１７】
又、この発明は、該ネジキャップが、その本体下部にブリッジを介して連結された封印バンドを有していることを特徴とする容器のキャップである。
【００１８】
又、この発明は、該オーバーキャップの該凹凸条部が、該オーバーキャップの天壁内面に立設されたインナーリングの内周面に設けられていることを特徴とする容器のキャップである。
【００１９】
又、この発明は、容器口部に装着される中栓であって、先細のノズルを有する中栓を更に備え、該ネジキャップが該中栓のノズルに螺着されるものであることを特徴とする容器のキャップである。
【発明の効果】
【００２０】
この発明においては、ネジキャップ側の凸条の上端面に、ネジキャップの開蓋方向に隣接する凹条に向けて上方から下方に傾斜する傾斜面を設けていることで、オーバーキャップをネジキャップに冠着させる際に、オーバーキャップ側を固定して行ったとしても、オーバーキャップ側の凸条の下端面とネジキャップ側の凸条の上端面に設けられた傾斜面とが摺接しながら、凹凸条部同士が噛み合うように周方向の位置が合って行くため、打栓による冠着が容易に行え、冠着に不良が生じ難い。又、傾斜面はネジキャップの開蓋方向に隣接する凹条に向けて傾斜するものであるため、オーバーキャップ側の凸条がネジキャップ側の凹部に嵌入される過程で、ネジキャップを開蓋方向に回転させる力が生じ難く、ネジキャップに緩みが生じ難い。
【００２１】
従って、この発明によれば、オーバーキャップをネジキャップに冠着させる際に、冠着に不良が生じ難く、且つ、ネジキャップに緩みが生じ難い容器のキャップを提供することができる。
【図面の簡単な説明】
【００２２】
【図１】この発明の容器のキャップの一実施形態を示し、キャップが容器口部に装着された状態における断面図である。
【図２】同上を示し、ネジキャップ単体の側面図である。尚、ネジキャップ本体と封印バンドとを連結するブリッジの図示は省略してある。
【図３】同上を示し、同上の平面図である。
【図４】同上を示し、同上の図３のＡ−Ａ線断面図である。
【図５】同上を示し、オーバーキャップ単体の半断面図である。
【図６】同上を示し、オーバーキャップにおけるインナーリング部分の底面図である。
【図７】同上を示し、中栓単体の半断面図である。
【発明を実施するための形態】
【００２３】
この発明の一実施形態を、小径で先細のノズルを有する所謂トンガリ中栓と、その中栓に螺着される所謂トンガリネジキャップと、中栓も覆いつつ、ネジキャップに冠着されるオーバーキャップとを備えているタイプの容器のキャップに適用する場合を例に、図面を参照しつつ説明する。尚、この発明は、ここで説明するタイプのキャップに限らず、ネジキャップとそれに冠着されるオーバーキャップとを備えているタイプのものであれば、適用が可能である。
【００２４】
この発明の一実施形態に係るキャップ１は、小径で先細のノズル２ａを有し、容器５の口部５ａに打栓により嵌着されて装着されるトンガリ中栓２（以下、単に中栓２という。）と、中栓２に、そのノズル２ａの注出口２ｂを天壁３ｒの内面に立設されたシールリング３ｓによってシール部３ｔでシールしつつ、ノズル２ａに巻き締めにより螺着されて装着されるトンガリネジキャップ３（以下、単にネジキャップ３という。）と、天壁４ａ内面に立設された小径のインナーリング４ｂを有し、中栓２とネジキャップ３を上方から覆いつつ、ネジキャップ３にインナーリング４ｂが打栓により冠着されて装着されるオーバーキャップ４とからなり、３ピースの合成樹脂製の部材によって構成されている。
【００２５】
キャップ１において、ネジキャップ３は、外周面３ａに、軸長方向に延在すると共に、周方向に交互に隣接する複数の凸条３ｂと凹条３ｃとからなる凹凸条部３ｄを有し、又、オーバーキャップ４は、そのインナーリング４ｂの内周面４ｃに、軸長方向に延在すると共に、周方向に交互に隣接する複数の凸条４ｄと凹条４ｅとからなり、ネジキャップの凹凸条部３ｄと嵌合する凹凸条部４ｆを有している。
【００２６】
これにより、キャップ１は、オーバーキャップ４の凸条４ｄをネジキャップ３の凸条３ｂに引っ掛かけて、ネジキャップ３をそれよりも径の大きいオーバーキャップ４を介して開蓋方向Ａ１に回転させて開けることができるものとなっており、小径のネジキャップ３を直接回転させて開ける場合に比べて、その開蓋トルク（ネジキャップ３を開蓋方向Ａ１に回転させて開けるのに要するトルク）を小さくして、ネジキャップ３を開け易くすることができるものとなっている。
【００２７】
尚、本実施形態において、ネジキャップ３の凹凸条部３ｄは、外周面３ａの周方向に１８本の凸条３ｂと凹条３ｃとが全周に亘って均等に配置されており（図２及び図３参照。）、又、オーバーキャップ４の凹凸条部４ｆは、インナーリング４ｂの内周面４ｃの周方向に１８本の凸条４ｄと凹条４ｅとが、ネジキャップ３側の凸条３ｂと凹条３ｃとに対応する位置に、全周に亘って均等に配置されている（図５及び図６参照。但し、図５は、凹凸条部４ｆ中、凸条４ｄの一部のみを示したものであり、本来は、図６に示したように、複数の凸条４ｄと凹条４ｅとが全周に亘って均等に配置されている。）。又、両凹凸条部３ｄ、４ｆは、それらが嵌合している際、互いの接触部分に大小の寸法差があることによって、その接触部分において圧接するものとなっている。
【００２８】
更に、本実施形態において、ネジキャップ３は、その本体下部にブリッジ３ｆを介して連結された封印バンド３ｆを有するものとなっており、開蓋方向Ａ１への回転によりブリッジ３ｆが破断することで、不正開封の確認ができるものとなっている。
【００２９】
そして、キャップ１において、ネジキャップ３の凸条３ｂの上端面３ｅは、ネジキャップ３の開蓋方向Ａ１側に隣接する凹条３ｃに向けて上方から下方に傾斜する傾斜面となっており、オーバーキャップ４の凹凸条部４ｆとネジキャップ３の凹凸条部３ｄとを嵌合させながら、オーバーキャップ４をネジキャップ３に冠着させる際に、オーバーキャップ４側を固定して行ったとしても、オーバーキャップ４の凸条４ｄの下端面４ｇとネジキャップの凸条３ｂの上端面３ｅとが摺接しながら、凹凸条部３ｄ、４ｆ同士が噛み合うように周方向の位置が合って行くので、オーバーキャップ４の凸条４ｄの下端面４ｇとネジキャップの凸条３ｂの上端面３ｅとが正面から衝突することがなく、嵌入の妨げとなることがない。又、冠着の過程で、ネジキャップ３に開蓋方向Ａ１に回転させる力が作用することがなく、ネジキャップ３が開蓋方向Ａ１に回転することがないようになっている。
【００３０】
即ち、キャップ１は、ネジキャップ３の凸条３ｂの上端面３ｅがネジキャップ３の開蓋方向Ａ１側に隣接する凹条３ｃに向けて上方から下方に傾斜する傾斜面となっていることで、オーバーキャップ４をネジキャップ３に冠着させる際に、冠着に不良が生じるのを防ぐことができ、且つ、ネジキャップ３に緩みが生じるのを防ぐことができるようになっている。
【００３１】
ここで、キャップ１は、前記のように、オーバーキャップ４をネジキャップ３に冠着させる際に、ネジキャップ３が開蓋方向Ａ１に回転するのを防ぐことができるようになっており、それによりネジキャップ３に緩みが生じるのを防ぐことができるものとなっているが、それだけでなく、ネジキャップ３のシール部３ｔによる密封性が解除されるシールブレーク角度や封印バンド３ｇのブリッジ３ｆが破断されるブリッジブレーク角度を超えて回転することがないので、即ち、ネジキャップ３のシール部３ｔによるシール性を解除したり、封印バンド３ｇのブリッジ３ｆを破断したりすることがないので、ネジキャップ３の凸条３ｂやオーバーキャップ４の凸条４ｄの周方向の幅を大きくすることができるものとなっており、それら凸条３ｂや凸条４ｄにネジキャップ３の開蓋トルクに負けない剛性を持たせるようにすることができるものとなっている。
【００３２】
尚、本実施の形態においては、ネジキャップ３の上端面３ｅをネジキャップ３の開蓋方向Ａ１側に隣接する凹条３ｃに向けて上方から下方に傾斜する傾斜面としているが、ネジキャップ３の閉蓋方向Ａ２側に隣接する凹条３ｃに向けて上方から下方に傾斜する傾斜面を含むものとしてもよく、つまり、上端面３ｅを隣接する凹条３ｃの両方に向けて上方から下方に山形状に傾斜する傾斜面としてもよい。この場合、オーバーキャップ４をネジキャップ３に冠着させる際に、ネジキャップ３が開蓋方向Ａ１に回転する可能性があるが、ネジキャップ３の閉蓋方向Ａ２側に隣接する凹条３ｃに向けて上方から下方に傾斜する傾斜面は、ネジキャップ３の最大回転角度がシールブレーク角度やブリッジブレーク角度を超えない範囲において形成されることはもちろんである。
【００３３】
又、本実施形態において、ネジキャップ３の凹凸条部３ｄの上部３ｎは、径方向内側に向けて下方から上方に傾斜しており、凸条３ｂの上端面３ｅの下縁部３ｋが凹条の凹部底面３ｐと連続するものとなっており、又、ネジキャップ３の凸条３ｂが、ネジキャップ３の開蓋方向Ａ１側に隣接する凹条３ｃに面する軸長方向の開蓋方向側側面３ｈと、ネジキャップ３の閉蓋方向Ａ２側に隣接する凹条３ｃに面する軸長方向の閉蓋方向側側面３ｉとを有しているが、その開蓋方向側側面３ｈの上部に上端面３ｅの下縁部３ｋが連続し、その閉蓋方向側側面３ｉの上部に上端面３ｅの上縁部３ｊが連続するものとなっており、これにより、ネジキャップ３の凸条３ｂの上端面３ｅを略平行四辺形の形状のものとして、その面積を広いものとしつつ、ネジキャップ３の開蓋方向Ａ１側に隣接する凹条３ｃに向けて上方から下方に傾斜する傾斜面とすることができるものとなっている。
【００３４】
又、図示は省略するが、ネジキャップ３の凸条３ｂの径方向外側に向かう外側面３ｍを、ネジキャップ３の開蓋方向Ａ１内側に向けて傾斜させ、開蓋方向側側面３ｈの径方向奥行きよりも閉蓋方向側側面３ｉの径方向奥行きの方を長くして、オーバーキャップ４の凸条４ｄと接合する部分において、開蓋方向側側面３ｈの面積よりも閉蓋方向側側面３ｉの面積の方が大きくなるようにしてもよく、そのようにすれば、ネジキャップ３を開蓋方向Ａ１へ回転させる際には、ネジキャップ３の凸条３ｂの両側面中、より広い面積の閉蓋方向側側面３ｉにオーバーキャップ４の凸条４ｄが引っ掛かることで、その引っ掛かりが強くなって、ネジキャップ３を開け易くすることができつつ、ネジキャップ３を閉蓋方向Ａ２へ回転させる際には、ネジキャップ３の両側面中、より狭い面積の開蓋方向側側面３ｈにオーバーキャップ４の凸条４ｄが引っ掛かることで、その引っ掛かりが弱くなって、ネジキャップ３の閉め過ぎを防ぐことができる。
【００３５】
更に、本実施形態においては、ネジキャップ３の凹条３ｃの凹部底面３ｐに周方向に延在する凸条３ｑが複数設けられていると共に、オーバーキャップ４の凸条４ｄの径方向内側に向かう内側面４ｈに、ネジキャップ３の周方向に延在する凸条３ｑと嵌合する凹条４ｉが複数設けられており、これにより、ネジキャップ３の凹凸条部３ｄとオーバーキャップ４の凹凸条部４ｆの嵌合の固着性をより高めることができるものとなっている。
【００３６】
又、本実施の形態においては、オーバーキャップ４の凸条４ｄの下端面４ｇは、円弧面状に形成されており、オーバーキャップ４のネジキャップ３への冠着の際に、ネジキャップ３の凸条３ｂの上端面３ｅ上を摺動し易いようになっている。
【符号の説明】
【００３７】
１：キャップ  ２：中栓  ２ａ：ノズル  ２ｂ：注出口  ３：ネジキャップ
３ａ：外周面  ３ｂ：凸条  ３ｃ：凹条  ３ｄ：凹凸条部  ３ｅ：上端面
３ｆ：ブリッジ  ３ｇ：封印バンド  ３ｈ：開蓋方向側側面
３ｉ：閉蓋方向側側面  ３ｊ：上縁部  ３ｋ：下縁部  ３ｍ：外側面
３ｎ：上部  ３ｐ：凹部底面  ３ｑ：周方向凸条  ３ｒ：天壁
３ｓ：シールリング  ３ｔ：シール部  ４：オーバーキャップ  ４ａ：天壁
４ｂ：インナーリング  ４ｃ：内周面  ４ｄ：凸条  ４ｅ：凹条
４ｆ：凹凸条部  ４ｇ：下端面  ４ｈ：内側面  ４ｉ：周方向凹条  ５：容器
５ａ：口部
【図１】
0005685431.tif 000002
【図２】
0005685431.tif 000003
【図３】
0005685431.tif 000004
【図４】
0005685431.tif 000005
【図５】
0005685431.tif 000006
【図６】
0005685431.tif 000007
【図７】
0005685431.tif 000008